(57)【要約】【課題】直立配置が可能で、片手で操作することもできる赤外線カメラの提供。【解決手段】本考案は、赤外線カメラに関する。当該赤外線カメラは、赤外線検出装置を含み、前記赤外線検出装置の外部にはハウジングを設けている。前記ハウジングは、さらにハウジング（１）、ハウジング（５）及び支持部材（１３）を含んでおり、そのうち、前記ハウジング（１）は赤外線カメラの上部に配置され、ハウジング（５）は赤外線カメラの中部に配置され、支持部材（１３）は赤外線カメラの底部に配置され、ハウジング（１）の下端とハウジング（５）の上端とが連結され、ハウジング（５）の下端と支持部材（１３）の上端とが連結されて、支持部材（１３）の下端は平面であって、赤外線カメラは前記平面により水平設置を実現している。本考案が提供する赤外線カメラは支持部材の下端の平面により水平設置を実現しているため、ユーザにとって便利である。【選択図】図４
0003133742.tif 000002
【実用新案登録請求の範囲】
【請求項１】
赤外線検出装置を含み、前記赤外線検出装置の外部にハウジングを設けた赤外線カメラにおいて、
前記ハウジングは、さらにハウジング（１）、ハウジング（５）及び支持部材（１３）を含んでおり、そのうち、
前記ハウジング（１）は赤外線カメラの上部に配置され、
ハウジング（５）は赤外線カメラの中部に配置され、
支持部材（１３）は赤外線カメラの底部に配置され、
ハウジング（１）の下端とハウジング（５）の上端とが連結され、
ハウジング（５）の下端と支持部材（１３）の上端とが連結され、
支持部材（１３）の下端は平面であって、赤外線カメラは前記平面により水平設置を実現していることを特徴とする赤外線カメラ。
【請求項２】
請求項１に記載の赤外線カメラにおいて、
前記赤外線検出装置に設けられた赤外線光学レンズ（２）はハウジング（１）の前端に位置しており、前記赤外線光学レンズ（２）は赤外線検出装置に設けられたシャッターが開いたときに、赤外線放射をシャッターを通じて赤外線検出装置に設けられた赤外線検出器に導くことを特徴とする赤外線カメラ。
【請求項３】
請求項１に記載の赤外線カメラにおいて、
前記赤外線カメラに設けられたコントロールパネル（３）はハウジング（１）の後端に位置することを特徴とする赤外線カメラ。
【請求項４】
請求項３に記載の赤外線カメラにおいて、
前記赤外線カメラは、さらに、ビューファインダウィンドー（４）を含み、前記ビューファインダウィンドー（４）はハウジング（１）の後端に、且つコントロールパネル（３）の上方に位置することを特徴とする赤外線カメラ。
【請求項５】
請求項４に記載の赤外線カメラにおいて、
前記ビューファインダウィンドー（４）はハウジング（１）の後端の回転軸によりハウジング（１）に連結されていることを特徴とする赤外線カメラ。
【請求項６】
請求項１に記載の赤外線カメラにおいて、
前記赤外線カメラは、さらに、レーザヘッド（６）、可視光線カムコーダ（７）、フラッシュライト（８）及び電気インタフェース（９）のうちのひとつまたは複数を含み、且つ前記部材はハウジング（５）に位置することを特徴とする赤外線カメラ。
【請求項７】
請求項１に記載の赤外線カメラにおいて、
前記赤外線カメラは、さらに、ハウジング（５）に設けられているレーザヘッド（６）、可視光線カムコーダ（７）、及びフラッシュライト（８）を含んでおり、前記三つの部材のハウジング（５）における開口の中心は同一直線上にあり、前記直線は支持部材（１３）の下端の平面に直交することを特徴とする赤外線カメラ。
【請求項８】
請求項１に記載の赤外線カメラにおいて、
前記赤外線カメラは、さらに、ハウジング（５）に位置するハンドル（１０）を含んでおり、前記ハンドル（１０）はハウジング（５）の側面に位置して、且つハウジング（５）の後端に近接することを特徴とする赤外線カメラ。
【請求項９】
請求項８に記載の赤外線カメラにおいて、
前記ハンドル（１０）は、さらに、ハウジング（５）の側面に切り出した溝及びハウジング（５）の溝における後端の部分を含むことを特徴とする赤外線カメラ。
【請求項１０】
請求項８に記載の赤外線カメラにおいて、
前記赤外線検出装置に設けられた電池はハンドル（１０）の内部に位置することを特徴とする赤外線カメラ。
【請求項１１】
請求項１に記載の赤外線カメラにおいて、
前記赤外線検出装置に設けられた電池は支持部材（１３）の中に位置することを特徴とする赤外線カメラ。
【請求項１２】
請求項１に記載の赤外線カメラにおいて、
前記赤外線カメラは、さらに、モニター（１２）を含んでおり、前記モニター（１２）はハウジング（５）の側面の回転軸によりハウジング（５）に連結されていることを特徴とする赤外線カメラ。
【請求項１３】
請求項５または１２に記載の赤外線カメラにおいて、
それぞれにおける前記回転軸は支持部材（１３）の下端の平面と平行に配置されていることを特徴とする赤外線カメラ。
【考案の詳細な説明】
【技術分野】
【０００１】
本考案は、赤外線技術分野に関する。より詳しくは、赤外線カメラに関する。
【背景技術】
【０００２】
赤外線カメラは、赤外放射を検出するために広く使われている。一般に、赤外放射のスペクトルの範囲は、0.75μmから1000μmまでと定められており、赤外放射はスペクトルの範囲に従って、短波赤外線、中波赤外線、及び長波赤外線に分けられる。物体の赤外放射能は、物体自身の温度の高低に伴って変化する。したがって、赤外線カメラはこの特性に基づいて、さまざまな検出機能を果たすことができる。より詳しくは、赤外線カメラはセキュリティ監視のほかにも製品の検査、温度測定等の分野に使われる。
【０００３】
従来の赤外線カメラは、通常、その外形が可視光線カメラ、双眼鏡、銃形温度計または可視光線カムコーダ（visible-light camcorder）等に類似していた。赤外線カメラの外形が可視光線カメラや双眼鏡の外形に類似していると、ユーザはこのような赤外線カメラを両手で操作しなければならない。それ故に、このような赤外線カメラは実際の操作において種々の不便をもたらしていた。また、銃形温度計に類似していると、このような赤外線カメラは片手で操作できるものの、これは三脚で支えられなければ通常直立した位置を維持できない。三脚の携帯は、実際上の使用においては、通常面倒であり、持ち忘れ等の場合、ユーザは赤外線カメラをまっすぐに配置できなくなる。 
【考案の開示】
【考案が解決しようとする課題】
【０００４】
本考案は、上記の問題点を鑑みてなされたもので、その目的は新規で直立配置可能な赤外線カメラを提供することにある。
本考案の別の目的は、さらに、直立可能で片手で操作できる赤外線カメラを提供することにある。
【課題を解決するための手段】
【０００５】
本考案は、上記の問題点を解決するために、以下のように技術事項を提供する。
本考案の赤外線カメラは、赤外線検出装置を含み、上記の赤外線検出装置の外部にはハウジングを設けてある。上記のハウジングは、さらにハウジング１、ハウジング５、及び支持部材１３を含んでいる。そのうち、上記のハウジング１は赤外線カメラの上部に配置され、ハウジング５は赤外線カメラの中部に配置され、支持部材１３は赤外線カメラの底部に配置されている。また、ハウジング１の下端とハウジング５の上端とが連結され、ハウジング５の下端と支持部材１３の上端とが連結されている。また、支持部材１３の下端は平面であって、赤外線カメラは上記の平面により水平設置を実現している。
【０００６】
上記の赤外線検出装置に設けられた赤外線光学レンズ２はハウジング１の前端に位置しており、上記の赤外線光学レンズ２は赤外線検出装置に設けられたシャッターが開いたときに、赤外線放射をシャッターを通じて赤外線検出装置に設けられた赤外線検出器に導く。
上記の赤外線カメラに設けられたコントロールパネル３はハウジング１の後端に位置する。
上記の赤外線カメラは、さらに、ビューファインダウィンドー４を含んでおり、ビューファインダウィンドー４はハウジング１の後端に、且つコントロールパネル３の上方に位置する。
ビューファインダウィンドー４はハウジング１の後端の回転軸によりハウジング１に連結されている。
【０００７】
上記の赤外線カメラは、さらに、レーザヘッド６、可視光線カムコーダ７、フラッシュライト８、及び電気インタフェース９のうちのひとつまたは複数を含み、且つ上記の部材はハウジング５に位置する（図３）。
さらに、ハウジング５に設けられているレーザヘッド６、可視光線カムコーダ７、フラッシュライト８の三つの部材のハウジング５における開口の中心は同一直線上にあり、上記の直線は支持部材１３の下端の平面に直交する。
上記の赤外線カメラは、さらに、ハウジング５の一部としてハンドル１０を含んでおり、上記のハンドル１０はハウジング５の側面に位置して、且つハウジング５の後端に近接している。
【０００８】
上記のハンドル１０は、さらに、ハウジング５の側面に切り出した溝及びハウジング５の上記の溝における後端の部分を含む。
上記の赤外線検出装置に設けられた電池はハンドル１０の内部に配置する。
上記の赤外線検出装置に設けられた電池は支持部材１３の中に配置することもある。
上記の赤外線カメラは、さらに、モニター１２を含んでおり、上記のモニター１２はハウジング５の側面の回転軸によりハウジング５に連結されている。
上記の回転軸は支持部材１３の下端の平面に平行する。
【考案の効果】
【０００９】
本考案が提供する赤外線カメラは支持部材の下端の平面により水平設置を実現したので、ユーザは三脚等の付属設備を必要とせずに、赤外線カメラはいかなる検出現場においても容易に設置でき、コンピューター、モニター等の設備にも簡単に接続でき、ユーザにとって便利である。
【００１０】
本考案が提供する赤外線カメラは、さらに、ハウジングにハンドルを設けたことにより、ユーザが片手で容易に操作できるようになっている。なお、赤外線カメラに検出精度の低い検出器を採用し、且つ比較的小さなレンズと電子機器の中心となる部材を使用した場合、本考案はハウジング１を設けるほか、ハンドル１０だけを設けてもよい。この場合、ハンドル１０はハウジング５と支持部材１３とからなるため、赤外線カメラの携帯は一層便利になる。
【００１１】
なお、本考案が提供する赤外線カメラに設けられた電池は、支持部材１３のハンドル側に近接した位置に、或いは直接にハンドル内に設置してもよい。このような設置は、その全てが赤外線カメラの重心をハンドルの付近に位置させている。したがって、このハンドルによりユーザは赤外線カメラを、さらに容易に持てるようになり、片手でより容易に操作できるようになる。
【考案を実施するための最良の形態】
【００１２】
次に、図面及び実施例を参照しながら本考案の赤外線カメラについて詳しく説明する。
本考案では、赤外線カメラのハウジングは主に三つの部分に分けて設計されており、最も底端のその部分には平面が設けられている。赤外線カメラはこの平面により水平設置を実現している。
【００１３】
図１〜図５は、本考案が提供する赤外線カメラの一つ最良の実施例を示している。図１及び図２からわかるように、この赤外線カメラは、ハウジング１とハウジング５、赤外線光学レンズ２、コントロールパネル３、ビューファインダウィンドー４、ハンドル１０、モニター１２、支持部材１３、及び電源スイッチ１４を含んでいる。
【００１４】
また、図４からわかるように、この赤外線カメラは、さらに、レーザヘッド６、可視光線カムコーダ７、フラッシュライト８、電気インタフェース９、及び電池１１を含んでいる。もちろん、当該技術分野での普通の技術者は、本考案の赤外線カメラが上記の全ての部材を含むことが可能であることを想到でき、これらに設けられたいくつかの部材だけを含むことも可能であることを想到できる。
【００１５】
例えば、ハウジング１、ハウジング５、支持部材１３、赤外線光学レンズ２、及びコントロールパネル３だけを含むことが可能であり、さらに、必要に応じて、その他の部材をも設けることが可能である。
例えば、ユーザが赤外線カメラを容易に使用できるように、特に、ユーザが片手で赤外線カメラを使用できるように、赤外線カメラにハンドル１０を増設することも可能である。しかも、上記のいくつかの部材は、具体的なニーズに基づいて拡張も整合も可能であり、さらに、赤外線カメラにはその他の部材をも設けることが可能である。なお、取替えのやり方で部材の交換を行うことも可能である。
【００１６】
図１からわかるように、赤外線カメラのハウジングは具体的には、ハウジング１、ハウジング５、及び支持部材１３を含んでおり、上記のハウジング１は赤外線カメラの上部に位置し、ハウジング５は赤外線カメラの中部に位置し、支持部材１３は赤外線カメラの底部に位置している。また、ハウジング１の下端とハウジング５の上端とが接し、ハウジング５の下端と支持部材１３とが接している。また、支持部材１３の下端は平面であって、赤外線カメラはこの平面により水平設置を実現可能にしている。
【００１７】
ハウジング１の前端には赤外線光学レンズ２が設けられている。この赤外線光学レンズ２は、一つ以上の他の赤外線光学レンズとで赤外線光学レンズ系を形成している。
ハウジング１の後端にはコントロールパネル３が設けられている。図１に示すコントロールパネルは４つの点に分けて押えることができるボタンを含み、さらに、単独に押えることができる二つのボタンを含んでいる。もちろん、当該技術分野での普通の技術者は、このコントロールパネルがユーザに制御ボタンを提供できるかぎり、その他の方式によっても設計可能であることに想到できる。そのため、ここではその説明を省略する。
【００１８】
図１に示すように、ハウジング１の後端に、且つコントロールパネル３の上方に、さらにビューファインダウィンドー４を設けてある。ビューファインダウィンドー４を通じて、ユーザは赤外線カメラで捕捉したありさまを観察することができる。図１では、ビューファインダウィンドー４はコントロールパネル３の上方に位置しているが、ビューファインダウィンドー４は、もちろん、他の位置にも設置可能であり、例えば、コントロールパネル３の左側に設置することも可能である。
【００１９】
なお、ハウジング１には一本の軸が設けられている。ビューファインダウィンドー４はこの軸によって、ハウジング１に設けられており、且つ、ビューファインダウィンドー４はこの軸を回転して角度を調整し、ユーザがイメージをうまく観察できるようにしている。この軸を支持部材１３の下端の平面に平行するように設置することにより、ビューファインダウィンドー４は正常の水平状態からある角度をなす上昇した状態まで回転できる。
【００２０】
図４に示すように、ハウジング５の前端にはレーザヘッド６、可視光線カムコーダ７、及びフラッシュライト８が設けられている。レーザヘッド６は可視レーザビームを発生することができ、物体を照射できる。したがって、赤外線カメラが画像を捕捉した場合、照射された物体は画像の中央部、または中央に近い部位に位置する。可視光線カムコーダ７は、放射を検出することにより可視光スペクトルの範囲内において、静止画像を捕捉、またはビデオを録画するために用いられる。なお、このビデオはオーディオ信号を含むことができる。
【００２１】
フラッシュライト８は、可視光線カムコーダ７の撮像のために、光線を発射して物体を照らすことに用いられる。また、ハウジング５には電気インタフェース９を設置することが可能である。この電気インタフェース９は、一つのＵＳＢインタフェースを含んでいる。この電気インタフェース９は、赤外線カメラ１に外部のコンピュータ、テレビ、記憶装置、スピーカー、及びマイクロフォンを接続させるために用いられる。
【００２２】
通常、ハウジング５にはレーザヘッド６、可視光線カムコーダ７、及びフラッシュライト８が設けられており、これらは光学信号を送信又は受信するために、ハウジング５上にそれぞれに対応する開口を有している。この三つの開口は、必要に応じて、ハウジング５の上での異なる位置にそれぞれ配置可能である。例えば、これら三つの開口は、便宜上その中心を一直線にのせ、且つこの直線を支持部材１３の下端の平面に直交するように設計してもよい。電気インタフェース９は、上記の三つの開口の下方に設けてもよいが、もちろん、他の位置に設けてもよい。
【００２３】
ハウジング１には、さらに電源スイッチ１４が設けられている。具体的には、この電源スイッチ１４はハウジング１の側面に設けてもよい。この電源スイッチ１４はレーザヘッド６、可視光線カムコーダ７、及びフラッシュライト８等の部材を駆動及び制御するために用いられる。
【００２４】
なお、ユーザが片手で赤外線カメラ１を操作できるように、本考案では、さらにハウジング５にハンドル１０を設けてある。具体的には、ハンドル１０はハウジング５の側面に、且つ後端付近の位置に設けてもよい。本実施例では、ハウジング５の側面の一部を後端付近の位置で窪めることにより、ハンドル１０を形成する。ユーザは赤外線カメラを使用する場合、このハンドルにより赤外線カメラを片手で持ち、且つこのハンドル１０を握った手で赤外線カメラ１のコントロールパネル３等の部材を操作する。もちろん、ユーザが片手での操作さえ容易にできるようなものであれば、ハンドル１０は必要に応じて他の形態をとってもいい。
【００２５】
赤外線カメラは所定の重さを有している。当該赤外線カメラの重さは、例えば、0.6キログラムから2.5キログラムまで、或いは0.8キログラムから1.6キログラムまでの範囲内に設計してもよいが、具体的には、1.4キログラムに設計してもよい。上記の重さの中で、電池は比較的大きな比重をしめている。そのため、電池１１をハウジング内に設置する場合、ユーザが片手で容易に操作できるように、電池１１はハンドル１０に近づけた位置に配置してもよい。図４に示すように、本考案の電池１１はハンドル１０内に位置しているが、できるだけ支持部材１３の下端の平面に近づけて配置するのが好ましい。もちろん、電池１１は支持部材１３の内部に設置してもよいが、さらにハンドル１０に近づけて配置するのが好ましい。
【００２６】
本考案では、ハウジング５には、さらにモニター１２が設けられている。ハウジング５の側面にモニター１２を設け、ハウジング５にさらにハンドル１０を設ける場合、モニター１２とハンドル１０とをそれぞれハウジング５の一部として左右に並置して設けることができる。このモニター１２は回転軸によってハウジング５に設けてもよい。具体的には、この第１の回転軸はハウジング５の側面に設けられ、支持部材１３の下端の平面に平行とする。この第１の回転軸により、このモニター１２をハウジング５の側面で開け閉めできる。
【００２７】
なお、ユーザがこのモニター１２をうまく使用できるように、即ち、ユーザがこのモニター１２を異なる角度に回転させて、よりうまく画像を観察できるように、さらにその他の回転軸、つまり、第２の回転軸を設けてもよい。この第２の回転軸は第１の回転軸と連結され、この第２の回転軸も支持部材１３の下端の平面に平行する。また、第２の回転軸は第１の回転軸と一定の角度をなすことになるが、第２の回転軸は第１の回転軸に直交するのが好ましい。図１及び図２に示すモニター１２はこの二つの回転軸により一定の角度に開くことができる。
【００２８】
図３に示すモニター１２はこの二つの回転軸によりハウジング５の側面に収納される。このモニター１２に含まれる表示画面は赤外線カメラが捕捉した画像を表示するために用いられるものである。なお、モニター１２に表示される画像とビューファインダウィンドー４で観察される画像は同一である。これらの画像は具体的には、赤外線カメラの赤外線検出装置により撮像された赤外線画像であってもよいし、可視光線カムコーダ７により撮像された画像、またはビデオであってもよい。
【００２９】
図６と図７に示す赤外線カメラは本考案の別の実施例である。この二つの図面は本考案の赤外線カメラの一部の寸法を示している。図６と図７からわかるように、ハウジング１のレンズ側の一端と上昇していない位置でのビューファインダウィンドー４との両端の長さａ２に対応する寸法は１9１mmであり、ハウジング１、ハウジング５、及び支持部材１３の全体の高さｈ２に対応する寸法は186mmであり、ハウジング１の幅ｂ２は78mmである。
【００３０】
支持部材１３の下端の平面に対するこの赤外線カメラの重心Ｇの高さｈ１は0mmから120mmまでである。この高さが0mmの場合、上記の重心Ｇが支持部材１３にあることを意味する。レーザヘッド６、可視光線カムコーダ７、及びフラッシュライト８の開口より形成された中心点を下方に延長してなる直線７２３に対するこの重心Ｇの距離ｂ１は0mmから25mmまでである。この距離が0mmの場合、上記の重心Ｇがこの直線７２３上にあることを意味する。図６において、ハンドル１０は幅ａ１を有している。例えば、この幅ａ１の変動範囲は20mmから75mmまででもよいが、70mmとするのが好ましい。
【００３１】
図８は、本考案の赤外線カメラに設けられた赤外線検出装置、即ち赤外線カメラの光電部分の一つの実施例である。もちろん、当該技術分野の普通の技術者は、必要に応じて、この部分の部材に対して各種の変化、等価変換、及び改良を行うことが可能である。具体的には、図８に示す赤外線検出装置は赤外線光学レンズ５１０、シャッター５１２、赤外線検出器５２０、ドライバー回路５２２、電源５３０、アナログ‐デジタル変換器５４０、信号処理部材５５０、デジタル-アナログ変換器５６０,５６２,及び５６４、エンコーダー５７０、ディスプレイ５８０、及びコントローラー５８２を含んでいる。
【００３２】
これらのうち、赤外線光学レンズ５１０はシャッター５１２が開いた時点で、赤外放射を導いて通す。これによって、赤外線検出器５２０は赤外線放射を検出することができるようになる。なお、赤外線光学レンズ５１０は、具体的には、図１中の赤外線光学レンズ２である。
【００３３】
赤外線検出器５２０はドライバー回路５２２で発生する信号により駆動された後、検出された赤外放射に応じてそれに対応する電気信号を発生する。この電気信号は、アナログ‐デジタル変換器５４０によりデジタル信号に変換され、信号処理部材５５０に転送される。
信号処理部材５５０は受信したデジタル信号に対して処理を行う。この信号の中にはアナログ‐デジタル変換器５４０から転送された信号のほかに、コントローラー５８２から転送された信号をも含むことができる。そのうち、コントローラー５８２から信号処理部材５５０に転送される信号は、具体的には、マイクロフォンから受信したオーディオ入力信号などである。
【００３４】
信号処理部材５５０により処理された後のデジタル信号はデジタル−アナログ変換器５６０,５６２,及び５６４に転送され、これらのデジタル−アナログ変換器はこのデジタル信号をアナログ信号に変換し、変換されたアナログ信号は、画像エンコーダ５７０に転送される。画像エンコーダ５７０は受信したアナログ信号に応じてそれに対応する表示信号を発生し、この表示信号をディスプレイ５８０に転送する。また、画像エンコーダ５７０からディスプレイ５８０に転送された表示信号には、オーディオ信号を含んでもよい。なお、画像エンコーダ５７０により発生される信号は、赤外線カメラにおける電気インタフェース９を介して外部のコンピュータ、外部のテレビ、及び外部の記憶装置に転送されてもよい。
【００３５】
本考案の赤外線カメラには、さらに、マイクロフォン、スピーカー、及び記憶装置を設けてもよい。もちろん、電気インタフェース９を介して外部のマイクロフォン、スピーカー、及び記憶装置を赤外線カメラに接続してもよい。
【００３６】
コントローラー５８２は、マイクロフォンから受信したオーディオ入力信号を信号処理部材５５０へ転送するとともに、信号処理部材５５０により転送されたデジタル信号をも受信でき、さらに、このデジタル信号に応じてそれに対応するオーディオ出力信号を発生し、このオーディオ出力信号をスピーカーに転送する。コントローラー５８２は、デジタル信号及びオーディオ信号を記憶装置に記憶することもできる。
また、赤外線検出装置は、さらに、電源５３０を含んでいる。電源５３０は、各部材へ電気を供給するために用いられるものであり、具体的には、電源回路と電池を含んでいる。電源回路は、ハウジング１の中に設けられてもよい。電池は、図４に示す電池１１である。
【００３７】
なお、図８に示す光電部分の赤外線検出器５２０、ドライバー回路５２２、アナログ‐デジタル変換器５４０、信号処理部材５５０、デジタル-アナログ変換器５６０,５６２,５６４、エンコーダー５７０、及びコントローラー５８２は、すべてハウジング１の中に位置する。
上述のものはあくまでも本考案の実施の形態であって、本考案を限定して解釈するものではない。
【図面の簡単な説明】
【００３８】
【図１】モニターを折畳んでいない位置での本考案の赤外線カメラの後部の左斜視図である。
【図２】モニターを折畳んでいない位置での本考案の赤外線カメラの後部の右斜視図である。
【図３】モニターを折畳んでいる位置での本考案の赤外線カメラの後部の右斜視図である。
【図４】モニターを折畳んでいない位置での本考案の赤外線カメラの前部の右斜視図である。
【図５】本考案の赤外線カメラの左側面図である。
【図６】本考案の赤外線カメラの寸法関係を示した左側面図である。
【図７】本考案の赤外線カメラの正面図である。
【図８】本考案の赤外線カメラに設けられた赤外線検出装置のシステムを示すブロック図である。
【符号の説明】
【００３９】
１，５  ハウジング          ２  赤外線光学レンズ      ３  コントロールパネル
４  ビューファインダウィンドー                        ６  レーザヘッド
７  可視光線カムコーダ、
８  フラッシュライト        ９  電気インタフェース    １０  ハンドル
１１  電池                  １２  モニター            １３  支持部材
１４  電源スイッチ
５１０  赤外線光学レンズ    ５１２  シャッター        ５２０  赤外線検出器
５２２  ドライバー回路      ５３０  電源
５４０  アナログ‐デジタル変換器
５５０  信号処理部材
５６０,５６２,５６４  デジタル‐アナログ変換器
５７０  エンコーダ          ５８０  ディスプレイ      ５８２  コントローラー
ａ１  幅                    Ｇ  重心                  ｈ１  高さ
７２３  直線                ｂ１  距離                ａ２  長さ
ｈ２  高さ                  ｂ２  幅
【図１】
0003133742.tif 000003
【図２】
0003133742.tif 000004
【図３】
0003133742.tif 000005
【図４】
0003133742.tif 000006
【図５】
0003133742.tif 000007
【図６】
0003133742.tif 000008
【図７】
0003133742.tif 000009
【図８】
0003133742.tif 000010
【手続補正書】
【提出日】平成19年5月21日(2007.5.21)
【手続補正１】
【補正対象書類名】実用新案登録請求の範囲
【補正対象項目名】全文
【補正方法】変更
【補正の内容】
【実用新案登録請求の範囲】
【請求項１】
赤外線検出装置を含み、前記赤外線検出装置の外部にハウジングを設けた赤外線カメラにおいて、
前記ハウジングは、さらに上部ハウジング（１）、下部ハウジング（５）及び支持部材（１３）を含んでおり、そのうち、
前記上部ハウジング（１）は赤外線カメラの上部に配置され、
下部ハウジング（５）は赤外線カメラの中部に配置され、
支持部材（１３）は赤外線カメラの底部に配置され、
上部ハウジング（１）の下端と下部ハウジング（５）の上端とが連結され、
下部ハウジング（５）の下端と支持部材（１３）の上端とが連結され、
支持部材（１３）の下端は平面であって、赤外線カメラは前記平面により水平設置を実現していることを特徴とする赤外線カメラ。
【請求項２】
請求項１に記載の赤外線カメラにおいて、
前記赤外線検出装置に設けられた赤外線光学レンズ（２）は上部ハウジング（１）の前端に位置しており、前記赤外線光学レンズ（２）は赤外線検出装置に設けられたシャッターが開いたときに、赤外線放射をシャッターを通じて赤外線検出装置に設けられた赤外線検出器に導くことを特徴とする赤外線カメラ。
【請求項３】
請求項１に記載の赤外線カメラにおいて、
前記赤外線カメラに設けられたコントロールパネル（３）は上部ハウジング（１）の後端に位置することを特徴とする赤外線カメラ。
【請求項４】
請求項３に記載の赤外線カメラにおいて、
前記赤外線カメラは、さらに、ビューファインダウィンドー（４）を含み、前記ビューファインダウィンドー（４）は上部ハウジング（１）の後端に、且つコントロールパネル（３）の上方に位置することを特徴とする赤外線カメラ。
【請求項５】
請求項４に記載の赤外線カメラにおいて、
前記ビューファインダウィンドー（４）は上部ハウジング（１）の後端の回転軸により上部ハウジング（１）に連結されていることを特徴とする赤外線カメラ。
【請求項６】
請求項１に記載の赤外線カメラにおいて、
前記赤外線カメラは、さらに、レーザヘッド（６）、可視光線カムコーダ（７）、フラッシュライト（８）及び電気インタフェース（９）のうちのひとつまたは複数を含み、且つ前記部材は下部ハウジング（５）に位置することを特徴とする赤外線カメラ。
【請求項７】
請求項１に記載の赤外線カメラにおいて、
前記赤外線カメラは、さらに、下部ハウジング（５）に設けられているレーザヘッド（６）、可視光線カムコーダ（７）、及びフラッシュライト（８）を含んでおり、前記三つの部材の下部ハウジング（５）における開口の中心は同一直線上にあり、前記直線は支持部材（１３）の下端の平面に直交することを特徴とする赤外線カメラ。
【請求項８】
請求項１に記載の赤外線カメラにおいて、
前記赤外線カメラは、さらに、下部ハウジング（５）に位置するハンドル（１０）を含んでおり、前記ハンドル（１０）は下部ハウジング（５）の側面に位置して、且つ下部ハウジング（５）の後端に近接することを特徴とする赤外線カメラ。
【請求項９】
請求項８に記載の赤外線カメラにおいて、
前記ハンドル（１０）は、さらに、下部ハウジング（５）の側面に切り出した溝及び下部ハウジング（５）の溝における後端の部分を含むことを特徴とする赤外線カメラ。
【請求項１０】
請求項８に記載の赤外線カメラにおいて、
前記赤外線検出装置に設けられた電池はハンドル（１０）の内部に位置することを特徴とする赤外線カメラ。
【請求項１１】
請求項１に記載の赤外線カメラにおいて、
前記赤外線検出装置に設けられた電池は支持部材（１３）の中に位置することを特徴とする赤外線カメラ。
【請求項１２】
請求項１に記載の赤外線カメラにおいて、
前記赤外線カメラは、さらに、モニター（１２）を含んでおり、前記モニター（１２）は下部ハウジング（５）の側面の回転軸により下部ハウジング（５）に連結されていることを特徴とする赤外線カメラ。
【請求項１３】
請求項５または１２に記載の赤外線カメラにおいて、
それぞれにおける前記回転軸は支持部材（１３）の下端の平面と平行に配置されていることを特徴とする赤外線カメラ。
【手続補正２】
【補正対象書類名】明細書
【補正対象項目名】全文
【補正方法】変更
【補正の内容】
【考案の詳細な説明】
【技術分野】
【０００１】
本考案は、赤外線技術分野に関する。より詳しくは、赤外線カメラに関する。
【背景技術】
【０００２】
赤外線カメラは、赤外放射を検出するために広く使われている。一般に、赤外放射のスペクトルの範囲は、0.75μmから1000μmまでと定められており、赤外放射はスペクトルの範囲に従って、短波赤外線、中波赤外線、及び長波赤外線に分けられる。物体の赤外放射能は、物体自身の温度の高低に伴って変化する。したがって、赤外線カメラはこの特性に基づいて、さまざまな検出機能を果たすことができる。より詳しくは、赤外線カメラはセキュリティ監視のほかにも製品の検査、温度測定等の分野に使われる。
【０００３】
従来の赤外線カメラは、通常、その外形が可視光線カメラ、双眼鏡、銃形温度計または可視光線カムコーダ（visible-light camcorder）等に類似していた。赤外線カメラの外形が可視光線カメラや双眼鏡の外形に類似していると、ユーザはこのような赤外線カメラを両手で操作しなければならない。それ故に、このような赤外線カメラは実際の操作において種々の不便をもたらしていた。また、銃形温度計に類似していると、このような赤外線カメラは片手で操作できるものの、これは三脚で支えられなければ通常直立した位置を維持できない。三脚の携帯は、実際上の使用においては、通常面倒であり、持ち忘れ等の場合、ユーザは赤外線カメラをまっすぐに配置できなくなる。 
【考案の開示】
【考案が解決しようとする課題】
【０００４】
本考案は、上記の問題点を鑑みてなされたもので、その目的は新規で直立配置可能な赤外線カメラを提供することにある。
本考案の別の目的は、さらに、直立可能で片手で操作できる赤外線カメラを提供することにある。
【課題を解決するための手段】
【０００５】
本考案は、上記の問題点を解決するために、以下のように技術事項を提供する。
本考案の赤外線カメラは、赤外線検出装置を含み、上記の赤外線検出装置の外部にはハウジングを設けてある。上記のハウジングは、さらに上部ハウジング１、下部ハウジング５、及び支持部材１３を含んでいる。そのうち、上記の上部ハウジング１は赤外線カメラの上部に配置され、下部ハウジング５は赤外線カメラの中部に配置され、支持部材１３は赤外線カメラの底部に配置されている。また、上部ハウジング１の下端と下部ハウジング５の上端とが連結され、下部ハウジング５の下端と支持部材１３の上端とが連結されている。また、支持部材１３の下端は平面であって、赤外線カメラは上記の平面により水平設置を実現している。
【０００６】
上記の赤外線検出装置に設けられた赤外線光学レンズ２は上部ハウジング１の前端に位置しており、上記の赤外線光学レンズ２は赤外線検出装置に設けられたシャッターが開いたときに、赤外線放射をシャッターを通じて赤外線検出装置に設けられた赤外線検出器に導く。
上記の赤外線カメラに設けられたコントロールパネル３は上部ハウジング１の後端に位置する。
上記の赤外線カメラは、さらに、ビューファインダウィンドー４を含んでおり、ビューファインダウィンドー４は上部ハウジング１の後端に、且つコントロールパネル３の上方に位置する。
ビューファインダウィンドー４は上部ハウジング１の後端の回転軸により上部ハウジング１に連結されている。
【０００７】
上記の赤外線カメラは、さらに、レーザヘッド６、可視光線カムコーダ７、フラッシュライト８、及び電気インタフェース９のうちのひとつまたは複数を含み、且つ上記の部材は下部ハウジング５に位置する（図３）。
さらに、下部ハウジング５に設けられているレーザヘッド６、可視光線カムコーダ７、フラッシュライト８の三つの部材の下部ハウジング５における開口の中心は同一直線上にあり、上記の直線は支持部材１３の下端の平面に直交する。
上記の赤外線カメラは、さらに、下部ハウジング５の一部としてハンドル１０を含んでおり、上記のハンドル１０は下部ハウジング５の側面に位置して、且つ下部ハウジング５の後端に近接している。
【０００８】
上記のハンドル１０は、さらに、下部ハウジング５の側面に切り出した溝及び下部ハウジング５の上記の溝における後端の部分を含む。
上記の赤外線検出装置に設けられた電池はハンドル１０の内部に配置する。
上記の赤外線検出装置に設けられた電池は支持部材１３の中に配置することもある。
上記の赤外線カメラは、さらに、モニター１２を含んでおり、上記のモニター１２は下部ハウジング５の側面の回転軸により下部ハウジング５に連結されている。
上記の回転軸は支持部材１３の下端の平面に平行する。
【考案の効果】
【０００９】
本考案が提供する赤外線カメラは支持部材の下端の平面により水平設置を実現したので、ユーザは三脚等の付属設備を必要とせずに、赤外線カメラはいかなる検出現場においても容易に設置でき、コンピューター、モニター等の設備にも簡単に接続でき、ユーザにとって便利である。
【００１０】
本考案が提供する赤外線カメラは、さらに、ハウジングにハンドルを設けたことにより、ユーザが片手で容易に操作できるようになっている。なお、赤外線カメラに検出精度の低い検出器を採用し、且つ比較的小さなレンズと電子機器の中心となる部材を使用した場合、本考案は上部ハウジング１を設けるほか、ハンドル１０だけを設けてもよい。この場合、ハンドル１０は下部ハウジング５と支持部材１３とからなるため、赤外線カメラの携帯は一層便利になる。
【００１１】
なお、本考案が提供する赤外線カメラに設けられた電池は、支持部材１３のハンドル側に近接した位置に、或いは直接にハンドル内に設置してもよい。このような設置は、その全てが赤外線カメラの重心をハンドルの付近に位置させている。したがって、このハンドルによりユーザは赤外線カメラを、さらに容易に持てるようになり、片手でより容易に操作できるようになる。
【考案を実施するための最良の形態】
【００１２】
次に、図面及び実施例を参照しながら本考案の赤外線カメラについて詳しく説明する。
本考案では、赤外線カメラのハウジングは主に三つの部分に分けて設計されており、最も底端のその部分には平面が設けられている。赤外線カメラはこの平面により水平設置を実現している。
【００１３】
図１〜図５は、本考案が提供する赤外線カメラの一つ最良の実施例を示している。図１及び図２からわかるように、この赤外線カメラは、上部ハウジング１と下部ハウジング５、赤外線光学レンズ２、コントロールパネル３、ビューファインダウィンドー４、ハンドル１０、モニター１２、支持部材１３、及び電源スイッチ１４を含んでいる。
【００１４】
また、図４からわかるように、この赤外線カメラは、さらに、レーザヘッド６、可視光線カムコーダ７、フラッシュライト８、電気インタフェース９、及び電池１１を含んでいる。もちろん、当該技術分野での普通の技術者は、本考案の赤外線カメラが上記の全ての部材を含むことが可能であることを想到でき、これらに設けられたいくつかの部材だけを含むことも可能であることを想到できる。
【００１５】
例えば、上部ハウジング１、下部ハウジング５、支持部材１３、赤外線光学レンズ２、及びコントロールパネル３だけを含むことが可能であり、さらに、必要に応じて、その他の部材をも設けることが可能である。
例えば、ユーザが赤外線カメラを容易に使用できるように、特に、ユーザが片手で赤外線カメラを使用できるように、赤外線カメラにハンドル１０を増設することも可能である。しかも、上記のいくつかの部材は、具体的なニーズに基づいて拡張も整合も可能であり、さらに、赤外線カメラにはその他の部材をも設けることが可能である。なお、取替えのやり方で部材の交換を行うことも可能である。
【００１６】
図１からわかるように、赤外線カメラのハウジングは具体的には、上部ハウジング１、下部ハウジング５、及び支持部材１３を含んでおり、上記の上部ハウジング１は赤外線カメラの上部に位置し、下部ハウジング５は赤外線カメラの中部に位置し、支持部材１３は赤外線カメラの底部に位置している。また、上部ハウジング１の下端と下部ハウジング５の上端とが接し、下部ハウジング５の下端と支持部材１３とが接している。また、支持部材１３の下端は平面であって、赤外線カメラはこの平面により水平設置を実現可能にしている。
【００１７】
上部ハウジング１の前端には赤外線光学レンズ２が設けられている。この赤外線光学レンズ２は、一つ以上の他の赤外線光学レンズとで赤外線光学レンズ系を形成している。
上部ハウジング１の後端にはコントロールパネル３が設けられている。図１に示すコントロールパネルは４つの点に分けて押えることができるボタンを含み、さらに、単独に押えることができる二つのボタンを含んでいる。もちろん、当該技術分野での普通の技術者は、このコントロールパネルがユーザに制御ボタンを提供できるかぎり、その他の方式によっても設計可能であることに想到できる。そのため、ここではその説明を省略する。
【００１８】
図１に示すように、上部ハウジング１の後端に、且つコントロールパネル３の上方に、さらにビューファインダウィンドー４を設けてある。ビューファインダウィンドー４を通じて、ユーザは赤外線カメラで捕捉したありさまを観察することができる。図１では、ビューファインダウィンドー４はコントロールパネル３の上方に位置しているが、ビューファインダウィンドー４は、もちろん、他の位置にも設置可能であり、例えば、コントロールパネル３の左側に設置することも可能である。
【００１９】
なお、上部ハウジング１には一本の軸が設けられている。ビューファインダウィンドー４はこの軸によって、上部ハウジング１に設けられており、且つ、ビューファインダウィンドー４はこの軸を回転して角度を調整し、ユーザがイメージをうまく観察できるようにしている。この軸を支持部材１３の下端の平面に平行するように設置することにより、ビューファインダウィンドー４は正常の水平状態からある角度をなす上昇した状態まで回転できる。
【００２０】
図４に示すように、下部ハウジング５の前端にはレーザヘッド６、可視光線カムコーダ７、及びフラッシュライト８が設けられている。レーザヘッド６は可視レーザビームを発生することができ、物体を照射できる。したがって、赤外線カメラが画像を捕捉した場合、照射された物体は画像の中央部、または中央に近い部位に位置する。可視光線カムコーダ７は、放射を検出することにより可視光スペクトルの範囲内において、静止画像を捕捉、またはビデオを録画するために用いられる。なお、このビデオはオーディオ信号を含むことができる。
【００２１】
フラッシュライト８は、可視光線カムコーダ７の撮像のために、光線を発射して物体を照らすことに用いられる。また、下部ハウジング５には電気インタフェース９を設置することが可能である。この電気インタフェース９は、一つのＵＳＢインタフェースを含んでいる。この電気インタフェース９は、赤外線カメラ１に外部のコンピュータ、テレビ、記憶装置、スピーカー、及びマイクロフォンを接続させるために用いられる。
【００２２】
通常、下部ハウジング５にはレーザヘッド６、可視光線カムコーダ７、及びフラッシュライト８が設けられており、これらは光学信号を送信又は受信するために、下部ハウジング５上にそれぞれに対応する開口を有している。この三つの開口は、必要に応じて、下部ハウジング５の上での異なる位置にそれぞれ配置可能である。例えば、これら三つの開口は、便宜上その中心を一直線にのせ、且つこの直線を支持部材１３の下端の平面に直交するように設計してもよい。電気インタフェース９は、上記の三つの開口の下方に設けてもよいが、もちろん、他の位置に設けてもよい。
【００２３】
上部ハウジング１には、さらに電源スイッチ１４が設けられている。具体的には、この電源スイッチ１４は上部ハウジング１の側面に設けてもよい。この電源スイッチ１４はレーザヘッド６、可視光線カムコーダ７、及びフラッシュライト８等の部材を駆動及び制御するために用いられる。
【００２４】
なお、ユーザが片手で赤外線カメラ１を操作できるように、本考案では、さらに下部ハウジング５にハンドル１０を設けてある。具体的には、ハンドル１０は下部ハウジング５の側面に、且つ後端付近の位置に設けてもよい。本実施例では、下部ハウジング５の側面の一部を後端付近の位置で窪めることにより、ハンドル１０を形成する。ユーザは赤外線カメラを使用する場合、このハンドルにより赤外線カメラを片手で持ち、且つこのハンドル１０を握った手で赤外線カメラ１のコントロールパネル３等の部材を操作する。もちろん、ユーザが片手での操作さえ容易にできるようなものであれば、ハンドル１０は必要に応じて他の形態をとってもいい。
【００２５】
赤外線カメラは所定の重さを有している。当該赤外線カメラの重さは、例えば、0.6キログラムから2.5キログラムまで、或いは0.8キログラムから1.6キログラムまでの範囲内に設計してもよいが、具体的には、1.4キログラムに設計してもよい。上記の重さの中で、電池は比較的大きな比重をしめている。そのため、電池１１をハウジング内に設置する場合、ユーザが片手で容易に操作できるように、電池１１はハンドル１０に近づけた位置に配置してもよい。図４に示すように、本考案の電池１１はハンドル１０内に位置しているが、できるだけ支持部材１３の下端の平面に近づけて配置するのが好ましい。もちろん、電池１１は支持部材１３の内部に設置してもよいが、さらにハンドル１０に近づけて配置するのが好ましい。
【００２６】
本考案では、下部ハウジング５には、さらにモニター１２が設けられている。下部ハウジング５の側面にモニター１２を設け、下部ハウジング５にさらにハンドル１０を設ける場合、モニター１２とハンドル１０とをそれぞれ下部ハウジング５の一部として左右に並置して設けることができる。このモニター１２は回転軸によって下部ハウジング５に設けてもよい。具体的には、この第１の回転軸は下部ハウジング５の側面に設けられ、支持部材１３の下端の平面に平行とする。この第１の回転軸により、このモニター１２を下部ハウジング５の側面で開け閉めできる。
【００２７】
なお、ユーザがこのモニター１２をうまく使用できるように、即ち、ユーザがこのモニター１２を異なる角度に回転させて、よりうまく画像を観察できるように、さらにその他の回転軸、つまり、第２の回転軸を設けてもよい。この第２の回転軸は第１の回転軸と連結され、この第２の回転軸も支持部材１３の下端の平面に平行する。また、第２の回転軸は第１の回転軸と一定の角度をなすことになるが、第２の回転軸は第１の回転軸に直交するのが好ましい。図１及び図２に示すモニター１２はこの二つの回転軸により一定の角度に開くことができる。
【００２８】
図３に示すモニター１２はこの二つの回転軸により下部ハウジング５の側面に収納される。
このモニター１２に含まれる表示画面は赤外線カメラが捕捉した画像を表示するために用いられるものである。なお、モニター１２に表示される画像とビューファインダウィンドー４で観察される画像は同一である。これらの画像は具体的には、赤外線カメラの赤外線検出装置により撮像された赤外線画像であってもよいし、可視光線カムコーダ７により撮像された画像、またはビデオであってもよい。
【００２９】
図６と図７に示す赤外線カメラは本考案の別の実施例である。この二つの図面は本考案の赤外線カメラの一部の寸法を示している。図６と図７からわかるように、上部ハウジング１のレンズ側の一端と上昇していない位置でのビューファインダウィンドー４との両端の長さａ２に対応する寸法は１9１mmであり、上部ハウジング１、下部ハウジング５、及び支持部材１３の全体の高さｈ２に対応する寸法は186mmであり、上部ハウジング１の幅ｂ２は78mmである。
【００３０】
支持部材１３の下端の平面に対するこの赤外線カメラの重心Ｇの高さｈ１は0mmから120mmまでである。この高さが0mmの場合、上記の重心Ｇが支持部材１３にあることを意味する。レーザヘッド６、可視光線カムコーダ７、及びフラッシュライト８の開口より形成された中心点を下方に延長してなる直線７２３に対するこの重心Ｇの距離ｂ１は0mmから25mmまでである。この距離が0mmの場合、上記の重心Ｇがこの直線７２３上にあることを意味する。図６において、ハンドル１０は幅ａ１を有している。例えば、この幅ａ１の変動範囲は20mmから75mmまででもよいが、70mmとするのが好ましい。
【００３１】
図８は、本考案の赤外線カメラに設けられた赤外線検出装置、即ち赤外線カメラの光電部分の一つの実施例である。もちろん、当該技術分野の普通の技術者は、必要に応じて、この部分の部材に対して各種の変化、等価変換、及び改良を行うことが可能である。具体的には、図８に示す赤外線検出装置は赤外線光学レンズ５１０、シャッター５１２、赤外線検出器５２０、ドライバー回路５２２、電源５３０、アナログ−デジタル変換器５４０、信号処理部材５５０、デジタル−アナログ変換器５６０,５６２,及び５６４、エンコーダー５７０、ディスプレイ５８０、及びコントローラー５８２を含んでいる。
【００３２】
これらのうち、赤外線光学レンズ５１０はシャッター５１２が開いた時点で、赤外放射を導いて通す。これによって、赤外線検出器５２０は赤外線放射を検出することができるようになる。なお、赤外線光学レンズ５１０は、具体的には、図１中の赤外線光学レンズ２である。
【００３３】
赤外線検出器５２０はドライバー回路５２２で発生する信号により駆動された後、検出された赤外放射に応じてそれに対応する電気信号を発生する。この電気信号は、アナログ−デジタル変換器５４０によりデジタル信号に変換され、信号処理部材５５０に転送される。
信号処理部材５５０は受信したデジタル信号に対して処理を行う。この信号の中にはアナログ−デジタル変換器５４０から転送された信号のほかに、コントローラー５８２から転送された信号をも含むことができる。そのうち、コントローラー５８２から信号処理部材５５０に転送される信号は、具体的には、マイクロフォンから受信したオーディオ入力信号などである。
【００３４】
信号処理部材５５０により処理された後のデジタル信号はデジタル−アナログ変換器５６０,５６２,及び５６４に転送され、これらのデジタル−アナログ変換器はこのデジタル信号をアナログ信号に変換し、変換されたアナログ信号は、画像エンコーダ５７０に転送される。画像エンコーダ５７０は受信したアナログ信号に応じてそれに対応する表示信号を発生し、この表示信号をディスプレイ５８０に転送する。また、画像エンコーダ５７０からディスプレイ５８０に転送された表示信号には、オーディオ信号を含んでもよい。なお、画像エンコーダ５７０により発生される信号は、赤外線カメラにおける電気インタフェース９を介して外部のコンピュータ、外部のテレビ、及び外部の記憶装置に転送されてもよい。
【００３５】
本考案の赤外線カメラには、さらに、マイクロフォン、スピーカー、及び記憶装置を設けてもよい。もちろん、電気インタフェース９を介して外部のマイクロフォン、スピーカー、及び記憶装置を赤外線カメラに接続してもよい。
【００３６】
コントローラー５８２は、マイクロフォンから受信したオーディオ入力信号を信号処理部材５５０へ転送するとともに、信号処理部材５５０により転送されたデジタル信号をも受信でき、さらに、このデジタル信号に応じてそれに対応するオーディオ出力信号を発生し、このオーディオ出力信号をスピーカーに転送する。コントローラー５８２は、デジタル信号及びオーディオ信号を記憶装置に記憶することもできる。
また、赤外線検出装置は、さらに、電源５３０を含んでいる。電源５３０は、各部材へ電気を供給するために用いられるものであり、具体的には、電源回路と電池を含んでいる。電源回路は、上部ハウジング１の中に設けられてもよい。電池は、図４に示す電池１１である。
【００３７】
なお、図８に示す光電部分の赤外線検出器５２０、ドライバー回路５２２、アナログ−デジタル変換器５４０、信号処理部材５５０、デジタル−アナログ変換器５６０,５６２,５６４、エンコーダー５７０、及びコントローラー５８２は、すべて上部ハウジング１の中に位置する。
上述のものはあくまでも本考案の実施の形態であって、本考案を限定して解釈するものではない。
【図面の簡単な説明】
【００３８】
【図１】モニターを折畳んでいない位置での本考案の赤外線カメラの後部の左斜視図である。
【図２】モニターを折畳んでいない位置での本考案の赤外線カメラの後部の右斜視図である。
【図３】モニターを折畳んでいる位置での本考案の赤外線カメラの後部の右斜視図である。
【図４】モニターを折畳んでいない位置での本考案の赤外線カメラの前部の右斜視図である。
【図５】本考案の赤外線カメラの左側面図である。
【図６】本考案の赤外線カメラの寸法関係を示した左側面図である。
【図７】本考案の赤外線カメラの正面図である。
【図８】本考案の赤外線カメラに設けられた赤外線検出装置のシステムを示すブロック図である。
【符号の説明】
【００３９】
１  上部ハウジング          ２  赤外線光学レンズ      ３  コントロールパネル
４  ビューファインダウィンドー  ５  下部ハウジング    ６  レーザヘッド
７  可視光線カムコーダ
８  フラッシュライト        ９  電気インタフェース    １０  ハンドル
１１  電池                  １２  モニター            １３  支持部材
１４  電源スイッチ
５１０  赤外線光学レンズ    ５１２  シャッター        ５２０  赤外線検出器
５２２  ドライバー回路      ５３０  電源
５４０  アナログ−デジタル変換器
５５０  信号処理部材
５６０,５６２,５６４  デジタル−アナログ変換器
５７０  エンコーダ          ５８０  ディスプレイ      ５８２  コントローラー
ａ１  幅                    Ｇ  重心                  ｈ１  高さ
７２３  直線                ｂ１  距離                ａ２  長さ
ｈ２  高さ                  ｂ２  幅
【手続補正３】
【補正対象書類名】図面
【補正対象項目名】図４
【補正方法】変更
【補正の内容】
【図４】
0003133742.tif 000011